(57)【要約】【課題】ベルトの金具をカバーする保護構造に関するものであり、展示したときにも商品としての美観を損なうことなく、輸送中においては衣服と直接接触することを防止する構造を提供することを目的としている。【解決手段】ベルト１の一端を係止するための金具２には透明フィルム３が被せられている。このフィルムは、前記裏側金具２２の衣服に接する側の面にせられるとともに、その両端は前記裏側金具２２に巻き込んでベルト１の一端と共に挟み込んで係止されている。この透明フィルム３が鉄製の裏側金具２２に巻き込んで係止されているので、衣服に装着した状態では、衣服と金具２との間に、前記透明フィルム３が介在し、衣服から水分やガス等が発生しても、鉄製の裏側金具２２には直接影響を及ぼさない。【選択図】      図１
2005060912.tif 000002
【特許請求の範囲】
【請求項１】
衣服に装着するベルト金具を保護する方法であって、
ベルト金具の耐蝕性の低い部分を、透明フィルムで覆った状態で衣服に装着することによって、前記ベルト金具の耐蝕性の低い部分が衣服に直接接触しないように保護することを特徴とするベルト金具の保護方法。
【請求項２】
衣服に装着して使用するベルト金具において、
この金具の裏側を鉄製とするとともに、衣服に接する鉄製の面に、フィルムを被せて係止したことを特徴とするベルト金具。
【請求項３】
前記金具は、表側金具と、鉄製の裏側金具と、これらの金具の間にベルトの一端を挟み込んで係止するための一端側係止手段と、前記ベルトの他端の近傍を係止する他端近傍側係止手段とを備え、前記裏側金具の衣服に接する側の面には透明フィルムを被せるとともに、この透明フィルムの両端を前記裏側金具に巻き込んでベルトの一端と共に挟み込んで係止したことを特徴とする請求項２に記載のベルト金具。
【請求項４】
前記フィルムはポリエチレンフィルムもしくはポリプロピレンフィルムとしたことを特徴とするしたことを特徴とする請求項２、３の何れか１項に記載のベルト金具。
【発明の詳細な説明】
【発明の詳細な説明】
【技術分野】
【０００１】  本発明は、衣服に装着するベルト金具の保護に関するものである。
【背景技術】
【０００２】  従来より、ズボン等の衣服にはベルトを装着して使用するものがある。そして、このような衣服の場合には、ベルトを装着した状態で商品として、輸送したり、保管したり、展示したりすることが行われることが多い。【０００３】  ところで、前記ベルトはバックル等と呼ばれる金具を備え、前記金具によって係止するように構成されている。
前記金具は、美観や耐蝕性の観点から真鍮等の金属製とすることが好ましいが、金具前部を真鍮製とすると、製造コストが嵩むという問題が生じるので、外部から目立つ部分のみを真鍮製とし、裏側に隠れる部分は安価な鉄製とすることが行われている。
【発明が解決しようとする課題】
【０００４】  しかし、裏側の部分は、衣服に装着した状態では、衣服と接することになるので、衣服の繊維間に吸収された水分や種々のガス成分等が徐々に発散するときに、その水分やガス成分によって腐食したり変色したりするという問題がある。
特に、コンテナに入れて船便等で輸送する場合には、コンテナの内部がかなりの高温になるので、種々のガス成分が発生して、金具の腐食や変色が進むという問題がある。
そこで、水分やガス成分から保護するために、金具全体を袋で覆うことが考えられるが、衣服に装着した状態で、金具を利用してベルトを回して係止するときに、係止しにくいという問題がある。また、ベルトを衣服に装着した状態で展示する場合等においては、商品として美観を損ない商品価値が下がるという問題がある。
【０００５】  そこで、本発明においては、展示したときにも商品としての美観を損なうことなく、輸送中においては衣服と直接接触することを防止する構造を提供することを目的としてなされたものである。
【課題を解決するための手段】
【０００６】  本発明にかかる請求項１のベルト金具の保護方法は、衣服に装着するベルト金具を保護する方法であって、ベルト金具の耐蝕性の低い部分を、透明フィルムで覆った状態で衣服に装着することによって、前記ベルト金具の耐蝕性の低い部分が衣服に直接接触しないように保護することを特徴としている。
【０００７】  本発明にかかる請求項２のベルト金具は、衣服に装着して使用するベルト金具において、この金具の裏側を鉄製とするとともに、衣服に接する鉄製の面に、フィルムを被せて係止したことを特徴としている。
【０００８】  請求項３では、前記金具は、表側金具と、鉄製の裏側金具と、これらの金具の間にベルトの一端を挟み込んで係止するための一端側係止手段と、前記ベルトの他端の近傍を係止する他端近傍側係止手段とを備え、前記裏側金具の衣服に接する側の面には透明フィルムを被せるとともに、この透明フィルムの両端を前記裏側金具に巻き込んでベルトの一端と共に挟み込んで係止したことを特徴としている。
【０００９】  請求項４では、前記フィルムはポリエチレンフィルムもしくはポリプロピレンフィルムとしたことを特徴とするしたことを特徴としている。
【発明を実施するための最良の形態】
【００１０】  以下に、本発明にかかるベルト金具を、その実施の形態を示した図面に基づいて詳細に説明する。
図１において、
１はベルト、２は前記ベルト１の一端に係止された金具である。
前記金具２は、ベルト１の一端を係止するために開閉可能に配設された表側金具２１と、板状部２３を備えた鉄製の裏側金具２２と、前記ベルト１の他端の近傍を係止する他端近傍側係止手段２４とを備えている。
この他端近傍側係止手段２４は、ベルト１の他端近傍を通すための環状体２４１と、この環状体２４１に通したベルト１の他端近傍に形成された孔１１に差し込んで係止するための棒状体２４２とを備えている。
以上の構成によって、衣服に装着されたベルト１の他端は、被装着者の腰に回して前記他端近傍側係止手段２４に係止され得るように構成されている。【００１１】  ３は透明フィルムであり、前記裏側金具２２の衣服に接する側の面にせられるとともに、その両端は前記裏側金具２２に巻き込んでベルト１の一端と共に挟み込んで係止されている。なお、前記透明フィルム３はポリエチレンフィルム製とした。
この透明フィルム３が鉄製の裏側金具２２に巻き込んで係止されているので、衣服に装着した状態では、衣服と金具２との間に、前記透明フィルム３が介在しているので、衣服から水分やガス等が発生しても、鉄製の裏側金具２２には直接影響を及ぼさないので、鉄製の裏側金具２２が腐食したり変色・変質したりすることは防止できるのである。
また、前記透明フィルム３によって裏側金具２２や金具２全体が隠されることはなく、商品として展示する場合でも、美観を損なうことは防止できるのである。
【実施例１】
【００１２】  図２は、透明フィルム３の外形の一例である。
この透明フィルム３はポリエチレンフィルム製であり、基本的な形状は長方形であり、そのほぼ中央部分に幅が広い部分３１を設けた。この幅が広い部分３１を挟んだ一方側３２は短く、他方側３３は長く形成され、前記広い部分３１と他方側３３との境界近傍に透孔３４が形成されている。この透孔３４は、金具２の棒状体２４２を差し込むための孔である。このような形状に型抜きして製造する。【００１３】  次に、図３〜６を参照して、前記透明フィルム３の係止方法を説明する。
まず、図３に示したように、前記短い方の一方側３２を、裏側金具２２とベルト１の裏側との間に挟み、幅の広い部分３１を、裏側金具２２の板状部２３に沿わせる。
次に、図４に示したように、金具の棒状体２４２を、透明フィルム３の孔３４に差込む。そして、前記長い方の他方側３３を、前記表側金具２１の歯状係止構造２１２の隙間に差し込む。【００１４】  続いて、図５に示したように、前記透明フィルム３の長い方の他方側３３を、前記歯状係止構造２１２とベルト１との間に差し込んだ状態で、表側金具２１を矢印の方向に倒し、ベルト１と金具２とを連結するとともに、透明フィルム３を保持する。
以上のようにして、図６に示したような状態にセットできるのである。このようにして、前記透明フィルム３の一方側３２と他方側３３とはベルトと金具の間に挟まれた状態で係止されるので、容易には脱落しない。
そして、幅の広い部分３１が、鉄製の裏側金具２２を十分に覆うので、衣服に装着した場合でも、衣服と裏側金具とが直接に触れることを防止できるのである。
【実施例２】
【００１５】  前記透明フィルム３はポリプロピレンフィルム製としてもよいが、これに限定されるものではない。
何れにしても、美観を損なわないように透明で薄いフィル厶が好ましい。なお、ノリ等を用いてフィルムを裏側金具に貼付すると、使用にあたって剥がした後にノリが残るので好ましくない。
ベルト金具としては、図示した構造に限定されるものではなく、耐蝕性の劣る鉄製の部材が、その裏側に用いられているものである。【００１６】  種々の形状のベルト金具であって、耐蝕性の劣る金属素材を用いたものに広く適用できる。衣服に装着した状態で、輸送したり展示したりする場合に、耐蝕性の劣る金属部材の腐食や変質を防止することができ、実際の使用時には、透明フィルムは取り外して使用する。
【発明の効果】
【００１７】  請求項１のベルト金具の保護方法では、ベルト金具の耐蝕性の低い部分を、透明フィルムで覆った状態で衣服に装着することによって、前記ベルト金具の耐蝕性の低い部分が衣服に直接接触しないように保護するので、装着した衣服から水分やガス成分が発散しても、ベルト金具の耐蝕性の低い部分が直ち腐食することを防止できる。
請求項２のベルト金具は、ベルト金具の裏側の鉄製の部分にフィルムを被せたので、装着した衣服から水分やガス成分が発散しても、ベルト金具の鉄製の部分が直ち腐食することを防止できる。
【００１８】  請求項３では、前記金具は、裏側金具の衣服に接する側の面に透明フィルムを被せるとともに、この透明フィルムの両端を前記裏側金具に巻き込んでベルトの一端と共に挟み込んで係止したので、透明フィルムの装着が容易であるとともに、ノリ等を使う必要がないので、取り除くことも容易である。また、透明フィルムが金具に確実に係止されるので、美観を損なうこともない。
請求項４では、フィルムはポリエチレンフィルムもしくはポリプロピレンフィルムとしたので、コストも安価で作業もしやすい。
【図面の簡単な説明】
【図１】  本発明にかかるベルト金具の実施の形態の構成を示した構成図である。
【図２】  前記ベルト金具の透明フィルムの平面図である。
【図３】  前記ベルト金具の使用方法を説明する説明図である。
【図４】  前記ベルト金具の使用方法を説明する説明図である。
【図５】  前記ベルト金具の使用方法を説明する説明図である。
【図６】  前記ベルト金具の使用方法を説明する説明図である。
【符号の説明】
１  ベルト
１１  孔
２  ベルト金具
２１  表側金具
２１２  歯状係止構造
２２  裏側金具
２３  板状部
２４  他端近傍側係止手段
２４１  環状体
２４２  棒状体２４２
３  透明フィルム
３２  一方側
３３  他方側
【図１】
2005060912.tif 000003
【図２】
2005060912.tif 000004
【図３】
2005060912.tif 000005
【図４】
2005060912.tif 000006
【図５】
2005060912.tif 000007
【図６】
2005060912.tif 000008